(57)【要約】      （修正有）【課題】月別・日別・曜日別などのルーズリーフシートを正しく表示する万年暦付時計の構造を提供する。【解決手段】外部殻体と回転ローラー組と駆動装置と時計制御部とを含み、前記外部殻体の表面には、日付、月別、曜日別と時計などの窓部を設け、前記回転ローラー組は月別ローラー、日付ローラーと曜日別ローラーより構成され、夫々外部殻体の各窓部を位置合わせし、前記時計制御部もその窓部を位置合わせし、更に前記時計制御部にて信号を送信することにより、前記各駆動装置の振りレバー、マイクロスイッチ、タッチスイッチとフレキシブル回路基板上のインフィニ・バンド・ケーブルを互いに作動するように制御することにより、他の制御信号を生成して他のローラーへ送信し、曜日別ローラー、日付ローラーと月別ローラーが順番かつ循環に作動し、段階の制御信号を介して正しい月別、日付と曜日別のルーズリーフシートを回し出すことができる。【選択図】図５
0003151413.tif 000002
【実用新案登録請求の範囲】
【請求項１】
一つの外部殻体と、一つの回転ローラー組と、３組の駆動装置と、一つの時計制御部と、を含む万年暦付時計の構造であって、
該外部殻体の一側の表面には、月別、日付、曜日別と時計のウィンドウズ（登録商標）が設置され、
該回転ローラー組は、一つの月別ローラー、日付ローラーと曜日別ローラーより構成され、そして各ローラーの上に月別，日付と曜日別のルーズリーフシートが周設され、その他に該日付、月別と曜日別のローラーがそれぞれ外部殻体の月別、日付と曜日別のウィンドウズ（登録商標）を更にアライメントし、また各ローラー内に一つの環状のフレキシブル回路基板が設置され且つその内表面に一つ以上のインフィニ・バンド・ケーブルが周設され、更に各ローラーの一側の内縁箇所にインナーラチェットを具し、他側の内壁面に一つ以上のバンプが設置され、該回転ローラー組の月別、日付と曜日別のローラーがそれぞれ外部殻体表面の月別ウィンドウズ（登録商標）、日付ウィンドウズ（登録商標）と曜日別ウィンドウズ（登録商標）をアライメントすることを可能とし、そして時計制御部もその時計ウィンドウズ（登録商標）をアライメントし、
該各駆動装置がそれぞれ回転ローラー組の内における月別、日付と曜日別のローラーの中に置き入り、更に外部殻体の内部に固定され、そして各組の駆動装置ごとがそれぞれ月別、日付と曜日別のローラーの回転と連動でき、その他に該各駆動装置の内は何れもモーター、歯車セット、振りレバー、タッチスイッチとマイクロスイッチを具して構成され、該駆動装置の振りレバーの前端箇所がインナーラチェットの上に位置し、そしてタッチスイッチの上におけるタッチ端子がフレキシブル回路基板のインフィニ・バンド・ケーブルの上に接触し、さらに該マイクロスイッチが各ローラーの内におけるバンプに互いに対応して設置でき、
該時計制御部が外部殻体上の時計ウィンドウズ（登録商標）箇所に固定され、そして時計制御部は時針、回転タッチシートと制御基板より構成され、時針の回転にて該回転タッチシートを連動することにより、回転タッチシートが制御基板にて設けられた接触面に接触し、該時計制御部の時針が毎回１周回転して合計が１２時間となる際に、一つの信号を触発して駆動装置の作動を制御して駆動することを特徴とする、万年暦付時計の構造。
【請求項２】
該回転ローラー組内における各フレキシブル回路基板のインフィニ・バンド・ケーブルは、月別と、日付と、曜日別との相違に準じ、各インフィニ・バンド・ケーブル上に一つ以上の接触面および一つ以上の非接触面を設置できることを特徴とする、請求項１に記載の万年暦付時計の構造。
【考案の詳細な説明】
【技術分野】
【０００１】
本考案は、万年暦付時計の構造に係り、特に回転ローラー組、フレキシブル回路基板と駆動装置にて生成された間欠性の信号および時計制御信号により、万年暦付時計の内における月別、日付と曜日別などのローラーの回転を駆動する万年暦付時計の構造に関するものである。
【背景技術】
【０００２】
一般的な既知の機械式万年暦の構造は、日付、曜日別と年別の自動変換を達成するために、その構造が、通常非常に多い機械制御用の部品を必要とし、これらの部品を連結して制御し、全体の構造上では、体積の制限があるだけではなく、生産コストの面でも、有効に削減できず、従って産業上の競争においてもプレッシャーをかなり受ける。
【０００３】
改良式の慣用の万年暦付時計の構造は、例えば台湾特許第186349号公報は、その主要な構造は、一つの外部殻体、回転ローラー、駆動装置、時計制御部と電源提供用のバッテリーパックより構成され、該外部殻体の表面には月別、日付、曜日別と時計などのウィンドウズ（登録商標）が設けられ、内部が中空で固定可能な回転ローラー、駆動装置、時計制御部とバッテリーパックとからなり、時計制御部にて一つの信号を触発することにより駆動装置の作動を制御し、該駆動装置が曜日別ローラー、日付ローラーと月別ローラーを連動し、順番に循環し、同時に駆動装置内部の基板接触面を利用し、大の月と小の月を自動的に変換し、人工処理の必要がなく、万年暦の全てが自動化を達成することを、目的と見なす。その構造の駆動装置は、一つのモーターにより歯車セットを駆動し、更に歯車セットにて活動式アームを制御することによりオン／オフスイッチが信号を生成するが、該駆動装置に含まれた部材が極めて繁雑で、その占める空間も該駆動装置の最大な空間を占め、更に各部材の間における連動も故障などを発生し易くなる。
【０００４】
これより了解できるのは、前述の慣用の品物が依然として欠点を具し、本当に良好な設計ではなく、改良する必要があるということである。
【特許文献１】台湾特許第186349号公報
【考案の開示】
【考案が解決しようとする課題】
【０００５】
そこで、本考案の目的は、即ち時計制御部の信号にて各駆動装置を作動し、ひいては各駆動装置が月別、日付と曜日別のローラーを回し出すように制御することにより、月別、日付と曜日別などのルーズリーフシートを正しく表示する万年暦付時計の構造を提供することにある。
【０００６】
本考案の次の目的は、回転ローラー組の内に何れも駆動装置が設置され且つフレキシブル回路基板上の回路と接触面に対応することにより、回転ローラー組の曜日別、日付と月別のローラーの回転と連動し、駆動装置の接触点がフレキシブル回路基板のインフィニ・バンド（Infini・band）・ケーブルに接触した時に、一つの信号を生成できることにより、他のローラー内における駆動装置を作動し、これにより、曜日別ローラー，日付ローラーと月別ローラーが順番かつ循環に作動する万年暦付時計の構造を提供することにある。
【課題を解決するための手段】
【０００７】
前述した目的を達成ために、本考案に係る万年暦付時計の構造は、主として一つの外部殻体、回転ローラー組、３組の駆動装置と時計制御部を含んで構成されるが、その中でも該外部殻体の表面には、月別、日付、曜日別と時計などのウィンドウズ（登録商標）が設けられ、そして内部中空状には、一つの回転ローラー組、駆動装置、時計制御部とバッテリーパックをその内に固定するように供し、そして該回転ローラー組が一つの月別ローラー、日付ローラーと曜日別ローラーより構成され、それぞれ外部殻体の月別、日付と曜日別のウィンドウズ（登録商標）をアライメントし、そして時計制御部もその時計ウィンドウズ（登録商標）をアライメントし、この時に時計制御部を介した上での時針が１周回って一つの信号を送信することにより、回転ローラー組の内における各駆動装置の振りレバー、マイクロスイッチとタッチスイッチを作動し始めるように制御し、月別ローラー、日付ローラーと曜日別ローラーが駆動装置上の振りレバーにより回転し始め、そしてローラーの内におけるフレキシブル回路基板上のインフィニ・バンド（Infini・band）・ケーブルが駆動装置のタッチ装置と互いに接触でき、つまり他の制御信号を生成して他のローラーへ送信し、曜日別ローラー、日付ローラーと月別ローラーが順番かつ循環に作動し、前述の各部材の構造により、即ち本願の万年暦付時計の構造を形成し、各駆動装置の作動を介して階段の制御信号を生成し、ひいては各駆動装置が月別、日付と曜日別などのローラーを回し出すことにより、月別、日付と曜日別などのルーズリーフシートを正しく表示できる目的を達成する。
【考案の効果】
【０００８】
本考案の万年暦付時計の構造は、その他の慣用の技術と互いに比較すると、更に下記の利点を具する。
１．本考案は、月別、日付と曜日別のローラー及び各駆動装置のタッチスイッチ（Touch  Switch）を利用して段階の制御信号を生成することにより、月別、日付と曜日別のローラーが月別、日付と曜日別を回し出すように制御し、これにより、月別、日付と曜日別などのルーズリーフシートを正しく表示する目的を達成することができる。
【０００９】
２．本考案は、全体の実施・作動の構造を一体かつ有効に統合することにより、全体の構造の体積が小さくなり、より軽くて精巧な万年暦付時計を製造することができる。
【００１０】
３．本考案は、機械伝動素子を減少して全体の構造の故障率を低減することができる。
【考案を実施するための最良の形態】
【００１１】
図１Ａ乃至図１Ｃに示すように、これが本考案の万年暦付時計の構造の月別、日付と曜日別のローラー及びその内の各駆動装置の一部分分解模式図であるが、主として一つの外部殻体1、一つの回転ローラー組2、3組の駆動装置3と一つの時計制御部4を含んでなるが、該外部殻体1の一側の表面には、月別、日付、曜日別と時計のウィンドウズ（登録商標）11、12、13、14が設置され、該外部殻体1の一側の表面にも、他の機能のウィンドウズ（登録商標）を設置できるが、該回転ローラー組2は、一つの月別ローラー、日付ローラーと曜日別ローラー21、22、23より構成され、そして各ローラーの上に月別、日付、と曜日別のルーズリーフシート211、221、231が周設され、その他に該月別，日付と曜日別のローラー21、22、23がそれぞれ外部殻体1の月別，日付と曜日別のウィンドウズ（登録商標）11、12、13を更にアライメントし、また各ローラーの内に一つの環状のフレキシブル回路基板212、222、232が設置され且つその内表面に一つ以上のインフィニ・バンド（Infini・band）・ケーブル213、223、233が周設され、更に各ローラーの一側の内縁箇所にインナーラチェット214、224、234を具し、他側の内壁面に一つ以上のバンプ215、225、235が設置され、該月別ローラー21の月別ルーズリーフシート211が12枚のルーズリーフシートより構成され、且つ月別ローラー21の上におけるインナーラチェット214のラチェットとバンプ215の数量も月別ルーズリーフシート211の数量と同じで、該日付ローラー22の日付ルーズリーフシート221が31枚のルーズリーフシートより構成され、且つ日付ローラー22の上におけるインナーラチェット224のラチェットとバンプ225の数量も日付ルーズリーフシート221の数量と同じで、該曜日別ローラー23の曜日別ルーズリーフシート231が14枚のルーズリーフシートより構成され、該曜日別ルーズリーフシート231が毎日２枚を具し、その中の1枚が曜日別を表現できる以外に、更に午前の時刻（AM）も表示でき、他の1枚も曜日別を表現できる以外に、更に午後の時刻（PM）も表示でき、従って毎日２枚を具し、毎週の七日間に合計で14枚となり、そして曜日別ローラー23の上におけるインナーラチェット234のラチェットとバンプ235の数量も曜日別ルーズリーフシート231の数量と同じで、該回転ローラー組2の月別、日付と曜日別のローラー21、22、23がそれぞれ外部殻体1の表面の月別ウィンドウズ（登録商標）11、日付ウィンドウズ（登録商標）12と曜日別ウィンドウズ（登録商標）13をアライメントすることを可能とし、そして時計制御部4もその時計ウィンドウズ（登録商標）14をアライメントし、該各駆動装置3がそれぞれ回転ローラー組2の内における月別、日付と曜日別のローラー21、22、23の中に置き入り、更に外部殻体1の内部に固定され、そして各組の駆動装置3ごとがそれぞれ月別，日付と曜日別のローラー21、22、23の回転と連動でき、その他に該各駆動装置3の内は何れもモーター31、歯車セット32、振りレバー33、タッチスイッチ34とマイクロスイッチ35を具して構成され、該駆動装置3の振りレバー33の前端箇所がインナーラチェット214、224、234の上に位置し、そしてタッチスイッチ34の上におけるタッチ端子がフレキシブル回路基板212、222、232のインフィニ・バンド（Infini・band）・ケーブル213、223、233の上に接触する。
【００１２】
さらに該マイクロスイッチ35が各ローラーの内におけるバンプ215、225、235に互いに対応して設置でき、該タッチスイッチ34の上におけるタッチ端子の数量がフレキシブル回路基板212、222、232のインフィニ・バンド（Infiniband）・ケーブルの数量に基づいて決定され、例えば3組のインフィニバンド（Infiniband）ケーブルがあれば、三つのタッチ端子を具することを表示し、これにより類推するが、該時計制御部4が外部殻体1の上の時計ウィンドウズ（登録商標）14箇所に固定され、そして時計制御部4が時針41、回転タッチシート42と制御基板43より構成され、時針41の回転にて該回転タッチシート42を連動することにより、回転タッチシート42が制御基板43にて設けられた接触面に接触し、該時計制御部4の時針41が毎回1周回転して合計が12時間となる際に、一つの信号を触発して駆動装置の作動を制御して駆動するが、前述の各部材の構造により、更に外部殻体1の内部に結合され、即ち本考案の万年暦付時計の構造を形成し（例えば図５に示すように）、各駆動装置3の循環作動を介して階段の制御信号を生成し、ひいては各駆動装置3が月別，日付と曜日別のローラー21、22、23を回し出すことにより、月別，日付と曜日別などのルーズリーフシートを正しく表示する目的を達成する。その中でも、本考案の作動は、一つのバッテリーパック5より電力のソースを提供する。
【００１３】
図２に示すように、これが該万年暦付時計の構造図であるが、該時計制御部4の回転タッチシート42が時計41の回転軸の上に固定され、時計の回転に連れて制御基板43が回転タッチシート42の下方に固定され且つ回転タッチシート42に接触し、該制御基板43の上には、12時丁度の方向で1組の接触面が設けられることにより、毎回1周回転して合計が12時間となる際に、一つの信号を触発して駆動装置3の作動を起動でき、そして本構造の制御ステップは、時計制御部4が1周回転して合計が12時間となる際に、曜日別ローラー23が次のページに回すように制御し、曜日別ローラー23が次の2ページに回す時に、同時に日付ローラー22が次のページに回すように駆動し、日付ローラー22が次の31ページに回す時に、同時に月別ローラー21が次のページに回すように駆動し、ずっと繰り返して循環する。
【００１４】
その中でも、該月別，日付と曜日別のローラー21、22、23を介し、各ローラー内における駆動装置に対応し、つまり、各ローラーが一つの固定角度を回転できる。且つ月別、日付と曜日別のローラー21、22、23の内におけるフレキシブル回路基板212、222、232の詳細な説明を下記のように列挙する。
【００１５】
＜月別ローラー21＞その内のフレキシブル回路基板が3組のインフィニ・バンド（Infini・band）・ケーブル213を具し、第1組のインフィニ・バンド（Infini・band）・ケーブル213が何れも負極に接続する接触面を具し、第2組のインフィニ・バンド（Infiniband）・ケーブル213が2月に代表される接触面を具し、第3組のインフィニ・バンド（Infini・band）・ケーブル213が4月、6月、9月と11月に代表される接触面を具し、第2組と第3組の接触面は1月、3月、5月、7月、8月、10月と12月に代表される接触面ではない。
【００１６】
＜日付ローラー22＞その内のフレキシブル回路基板が5組のインフィニ・バンド（Infini・band）・ケーブルを具し、第1組のインフィニ・バンド（Infini・band）・ケーブルが何れも負極に接続する接触面を具し、第2組のインフィニ・バンド（Infini・band）・ケーブルが2日〜28日に代表される接触面を具し、接触面を具しないのが29日〜1日に代表され、第3組が1日に代表される接触面を具し、接触面を具しないのが2日〜31日に代表され、第4組のインフィニ・バンド（Infini・band）・ケーブルが31日に代表される接触面を具し、接触面を具しないのが1日〜30日に代表され、第5組が29日〜31日に代表される接触面を具し、接触面を具しないのが1日〜28日に代表される。
【００１７】
＜曜日別ローラー23＞その内のフレキシブル回路基板が3組のインフィニ・バンド（Infini・band）・ケーブルを具し、第1組のインフィニ・バンド（Infini・band）・ケーブルが何れも負極に接続する接触面を具し、第2組と第3組が月曜日〜日曜日の昼間に代表される接触面を具し、第2組と第3組の接触面を具しないのが月曜日〜日曜日の晩に代表される。
【００１８】
故に、時計制御部4の時針41が毎回1周回転して合計が12時間となる際に、一つの信号を曜日別ローラー23へ触発して駆動装置3が作動し、且つその内の駆動装置3の振りレバー33がつまり曜日別ローラー23の側辺のインナーラチェット234を弾くことにより、曜日別ルーズリーフシート231が次のページに回し且つその何曜日と午前の時刻（AM）を表示し、再び時針41が毎回1周回転して合計が12時間となる際に、また一つの信号を曜日別ローラー23へ触発して駆動装置3が作動し、且つその内の駆動装置3の振りレバー33が再び曜日別ローラー23の側辺のインナーラチェット234を弾くことにより、更に曜日別ルーズリーフシート232が次のページに回し且つその同じ何曜日と午後の時刻（PM）を表示し、且つ一つの信号を日付ローラー22へ触発して作動し、更にその内の駆動装置3の振りレバー33がつまり日付ローラー22の側辺のインナーラチェット224を弾くことにより、日付ルーズリーフシート221が次のページに回してその正しい日付を表示し、日付ローラー22が日付ルーズリーフシート221を31回まわす時に、同時に一つの信号を触発して月別ローラー21の作動を駆動し、そしてその内の駆動装置3の振りレバーがつまり月別ローラーの側辺のインナーラチェットを弾くことにより、月別ルーズリーフシートが次のページに回してその正しい月別を表示するが、その他に2月が28日間のみを具するため、該日付ローラー22のフレキシブル回路基板222のインフィニ・バンド（Infini・band）・ケーブル223を利用して設けて三等分を跨る接触面が、つまり28日目となる時に、自動的に次の3ページに回して29日目、30日目と31日目を抜いて1日の日付を表示できる。
【００１９】
その中でも、4年ごとに2月29日に遇うため、停電かつ未運転して1日間に手動にてルーズリーフシートを表示する。
【００２０】
更に図３Ａ乃至図３Ｂ、図４Ａ乃至図４Ｂに示すように、これが該万年暦付時計の構造改良の曜日別ローラーの両側の実施状態図であるが、曜日別ローラーを例とし、曜日別ローラー23の駆動装置3の内におけるモーターに通電した後に、モーターを駆動して振りレバーの作動を連動し、振りレバーが曜日別ローラーのインナーラチェットを弾くことにより、曜日別ローラーが回転し始め、そして駆動装置に通電した時に、該駆動装置のマイクロスイッチがまだ曜日別ローラーのバンプにより抑えつけられてなく、ある角度までに回転する時に、該駆動装置のマイクロスイッチが曜日別ローラーのバンプにより抑えつけられることにより、駆動装置が停電し、次回の信号の触発を待つ。
【００２１】
以上の詳細な説明は、本考案に対する実行可能な実施例の具体の説明で、ただ該実施例が本考案の登録請求の範囲を限定するために用いられるわけではなく、如何なる本考案の技術精神をまだ脱逸しない等価な実施または変更が何れも本考案の登録請求の範囲中に含まれるべきである。
【図面の簡単な説明】
【００２２】
【図１Ａ】本考案の万年暦付時計の構造の月別のローラー及びその各駆動装置の部分模式図である。
【図１Ｂ】本考案の万年暦付時計の構造の日付別のローラー及びその各駆動装置の部分模式図である。
【図１Ｃ】本考案の万年暦付時計の構造の曜日別のローラー及びその各駆動装置の部分模式図である。
【図２】本考案の万年暦付時計の構造の制御信号の模式図である。
【図３Ａ】本考案の万年暦付時計の構造の曜日別ローラーの一側の実施状態図である。
【図３Ｂ】本考案の万年暦付時計の構造の曜日別ローラーの一側の実施状態図である。
【図４Ａ】本考案の万年暦付時計の構造の曜日別ローラーの他側の実施状態図である。
【図４Ｂ】本考案の万年暦付時計の構造の曜日別ローラーの他側の実施状態図である。
【図５】本考案の万年暦付時計の構造の製品図である。
【符号の説明】
【００２３】
1    外部殻体  
2    回転ローラー組
3    駆動装置
4    時計制御部
5    バッテリーパック
11   月別ウィンドウズ(登録商標)
12   日付ウィンドウズ（登録商標）
13   曜日別ウィンドウズ（登録商標）
14   時計ウィンドウズ（登録商標）
21   月別ローラー
22   日付ローラー
23   曜日別ローラー
31   モーター
32   歯車セット
33   振りレバー
34   タッチスイッチ（Touch Switch）
35   マイクロスイッチ
41   時計
42   回転タッチシート
43   制御基板
211  月別ルーズリーフシート
212  フレキシブル回路基板
213  インフィニ・バンド・ケーブル
214  インナーラチェット
215  バンプ
221  日付ルーズリーフシート
222  フレキシブル回路基板  
223  インフィニ・バンド・ケーブル
224  インナーラチェット
225  バンプ
231  曜日別ルーズリーフシート
232  フレキシブル回路基板
233  インフィニ・バンド・ケーブル
234  インナーラチェット
235  バンプ
【図１Ａ】
0003151413.tif 000003
【図１Ｂ】
0003151413.tif 000004
【図１Ｃ】
0003151413.tif 000005
【図２】
0003151413.tif 000006
【図３Ａ】
0003151413.tif 000007
【図３Ｂ】
0003151413.tif 000008
【図４Ａ】
0003151413.tif 000009
【図４Ｂ】
0003151413.tif 000010
【図５】
0003151413.tif 000011
【手続補正書】
【提出日】平成21年4月14日(2009.4.14)
【手続補正１】
【補正対象書類名】実用新案登録請求の範囲
【補正対象項目名】全文
【補正方法】変更
【補正の内容】
【実用新案登録請求の範囲】
【請求項１】
一つの外部殻体と、一つの回転ローラー組と、３組の駆動装置と、一つの時計制御部と、を含む万年暦付時計の構造であって、
該外部殻体の一側の表面には、月別、日付、曜日別と時計の窓部が設置され、
該回転ローラー組は、一つの月別ローラー、日付ローラーと曜日別ローラーより構成され、そして各ローラーの上に月別、日付と曜日別のルーズリーフシートが周設され、その他に該日付、月別と曜日別のローラーがそれぞれ該外部殻体の月別、日付と曜日別窓部を位置合わせ、また各ローラー内に一つの環状のフレキシブル回路基板が設置され且つその内表面に一つ以上のインフィニ・バンド（Infini・Band）・ケーブルが周設され、更に各ローラーの一側の内縁箇所にインナーラチェットを具し、他側の内壁面に一つ以上のバンプが設置され、該回転ローラー組の月別、日付と曜日別のローラーがそれぞれ外部殻体表面の月別窓部、日付窓部と曜日別窓部を位置合わせることを可能とし、そして時計制御部もその時計窓部を位置合わせ、
該各駆動装置がそれぞれ回転ローラー組の内における月別、日付と曜日別のローラーの中に設置され、更に外部殻体の内部に固定され、そして各組の駆動装置ごとがそれぞれ月別、日付と曜日別のローラーの回転と連動でき、その他に該各駆動装置の内は何れもモーター、歯車セット、振りレバー、タッチスイッチとマイクロスイッチを具して構成され、該駆動装置の振りレバーの前端箇所がインナーラチェットの上に位置し、そしてタッチスイッチの上におけるタッチ端子がフレキシブル回路基板のインフィニ・バンド（Infini・Band）・ケーブルの上に接触し、さらに該マイクロスイッチが各ローラーの内におけるバンプに互いに対応して設置できるにようし、
該時計制御部が外部殻体上の時計窓部箇所に固定されると共に、時針、回転タッチシートと制御基板より構成され、時針の回転にて該回転タッチシートを連動することにより、回転タッチシートが制御基板にて設けられた接触面に接触し、該時計制御部の時針が毎回１周回転して合計が１２時間となる際に、一つの信号を触発して駆動装置の作動を制御して駆動することを特徴とする、万年暦付時計の構造。
【請求項２】
該回転ローラー組内における各フレキシブル回路基板のインフィニ・バンド（Infini・Band）・ケーブルは、月別と、日付と、曜日別との相違に準じ、各インフィニ・バンド（Infini・Band）・ケーブル上に一つ以上の接触面および一つ以上の非接触面を設置できることを特徴とする、請求項１に記載の万年暦付時計の構造。
【手続補正２】
【補正対象書類名】明細書
【補正対象項目名】０００３
【補正方法】変更
【補正の内容】
【０００３】
改良式の慣用の万年暦付時計の構造は、例えば台湾特許第186349号公報は、その主要な構造は、一つの外部殻体、回転ローラー、駆動装置、時計制御部と電源提供用のバッテリーパックより構成され、該外部殻体の表面には月別、日付、曜日別と時計などの窓部が設けられ、内部が中空で固定可能な回転ローラー、駆動装置、時計制御部とバッテリーパックとからなり、時計制御部にて一つの信号を触発することにより駆動装置の作動を制御し、該駆動装置が曜日別ローラー、日付ローラーと月別ローラーを連動し、順番に循環し、同時に駆動装置内部の基板接触面を利用し、大の月と小の月を自動的に変換し、人工処理の必要がなく、万年暦の全てが自動化を達成することを、目的と見なす。その構造の駆動装置は、一つのモーターにより歯車セットを駆動し、更に歯車セットにて活動式アームを制御することによりオン／オフスイッチが信号を生成するが、該駆動装置に含まれた部材が極めて繁雑で、その占める空間も該駆動装置の最大な空間を占め、更に各部材の間における連動も故障などを発生し易くなる。
【手続補正３】
【補正対象書類名】明細書
【補正対象項目名】０００７
【補正方法】変更
【補正の内容】
【０００７】
前述した目的を達成ために、本考案に係る万年暦付時計の構造は、主として一つの外部殻体、回転ローラー組、３組の駆動装置と時計制御部を含んで構成されるが、その中でも該外部殻体の表面には、月別、日付、曜日別と時計などの窓部が設けられ、そして内部中空状には、一つの回転ローラー組、駆動装置、時計制御部とバッテリーパックをその内に固定するように供し、そして該回転ローラー組が一つの月別ローラー、日付ローラーと曜日別ローラーより構成され、それぞれ外部殻体の月別、日付と曜日別の窓部を位置合わせ、そして時計制御部もその時計窓部を位置合わせ、この時に時計制御部を介した上での時針が１周回って一つの信号を送信することにより、回転ローラー組の内における各駆動装置の振りレバー、マイクロスイッチとタッチスイッチを作動し始めるように制御し、月別ローラー、日付ローラーと曜日別ローラーが駆動装置上の振りレバーにより回転し始め、そしてローラーの内におけるフレキシブル回路基板上のインフィニ・バンド（Infini・band）・ケーブルが駆動装置のタッチ装置と互いに接触でき、つまり他の制御信号を生成して他のローラーへ送信し、曜日別ローラー、日付ローラーと月別ローラーが順番かつ循環に作動し、前述の各部材の構造により、即ち本願の万年暦付時計の構造を形成し、各駆動装置の作動を介して階段の制御信号を生成し、ひいては各駆動装置が月別、日付と曜日別などのローラーを回し出すことにより、月別、日付と曜日別などのルーズリーフシートを正しく表示できる目的を達成する。
【手続補正４】
【補正対象書類名】明細書
【補正対象項目名】００１１
【補正方法】変更
【補正の内容】
【００１１】
図１Ａ乃至図１Ｃに示すように、これが本考案の万年暦付時計の構造の月別、日付と曜日別のローラー及びその内の各駆動装置の一部分分解模式図であるが、主として一つの外部殻体1、一つの回転ローラー組2、3組の駆動装置3と一つの時計制御部4を含んでなるが、該外部殻体1の一側の表面には、月別、日付、曜日別と時計の窓部11、12、13、14が設置され、該外部殻体1の一側の表面にも、他の機能の窓部を設置できるが、該回転ローラー組2は、一つの月別ローラー、日付ローラーと曜日別ローラー21、22、23より構成され、そして各ローラーの上に月別、日付、と曜日別のルーズリーフシート211、221、231が周設され、その他に該月別，日付と曜日別のローラー21、22、23がそれぞれ外部殻体1の月別，日付と曜日別の窓部11、12、13を更に位置合わせ、また各ローラーの内に一つの環状のフレキシブル回路基板212、222、232が設置され且つその内表面に一つ以上のインフィニ・バンド（Infini・band）・ケーブル213、223、233が周設され、更に各ローラーの一側の内縁箇所にインナーラチェット214、224、234を具し、他側の内壁面に一つ以上のバンプ215、225、235が設置され、該月別ローラー21の月別ルーズリーフシート211が12枚のルーズリーフシートより構成され、且つ月別ローラー21の上におけるインナーラチェット214のラチェットとバンプ215の数量も月別ルーズリーフシート211の数量と同じで、該日付ローラー22の日付ルーズリーフシート221が31枚のルーズリーフシートより構成され、且つ日付ローラー22の上におけるインナーラチェット224のラチェットとバンプ225の数量も日付ルーズリーフシート221の数量と同じで、該曜日別ローラー23の曜日別ルーズリーフシート231が14枚のルーズリーフシートより構成され、該曜日別ルーズリーフシート231が毎日２枚を具し、その中の1枚が曜日別を表現できる以外に、更に午前の時刻（AM）も表示でき、他の1枚も曜日別を表現できる以外に、更に午後の時刻（PM）も表示でき、従って毎日２枚を具し、毎週の七日間に合計で14枚となり、そして曜日別ローラー23の上におけるインナーラチェット234のラチェットとバンプ235の数量も曜日別ルーズリーフシート231の数量と同じで、該回転ローラー組2の月別、日付と曜日別のローラー21、22、23がそれぞれ外部殻体1の表面の月別窓部11、日付窓部12と曜日別窓部13を位置合わせることを可能とし、そして時計制御部4もその時計窓部14を位置合わせ、該各駆動装置3がそれぞれ回転ローラー組2の内における月別、日付と曜日別のローラー21、22、23の中に置き入り、更に外部殻体1の内部に固定され、そして各組の駆動装置3ごとがそれぞれ月別，日付と曜日別のローラー21、22、23の回転と連動でき、その他に該各駆動装置3の内は何れもモーター31、歯車セット32、振りレバー33、タッチスイッチ34とマイクロスイッチ35を具して構成され、該駆動装置3の振りレバー33の前端箇所がインナーラチェット214、224、234の上に位置し、そしてタッチスイッチ34の上におけるタッチ端子がフレキシブル回路基板212、222、232のインフィニ・バンド（Infini・band）・ケーブル213、223、233の上に接触する。
【手続補正５】
【補正対象書類名】明細書
【補正対象項目名】００１２
【補正方法】変更
【補正の内容】
【００１２】
さらに該マイクロスイッチ35が各ローラーの内におけるバンプ215、225、235に互いに対応して設置でき、該タッチスイッチ34の上におけるタッチ端子の数量がフレキシブル回路基板212、222、232のインフィニ・バンド（Infini・band）・ケーブルの数量に基づいて決定され、例えば3組のインフィニ・バンド（Infini・band）ケーブルがあれば、三つのタッチ端子を具することを表示し、これにより類推するが、該時計制御部4が外部殻体1の上の時計窓部14箇所に固定され、そして時計制御部4が時針41、回転タッチシート42と制御基板43より構成され、時針41の回転にて該回転タッチシート42を連動することにより、回転タッチシート42が制御基板43にて設けられた接触面に接触し、該時計制御部4の時針41が毎回1周回転して合計が12時間となる際に、一つの信号を触発して駆動装置の作動を制御して駆動するが、前述の各部材の構造により、更に外部殻体1の内部に結合され、即ち本考案の万年暦付時計の構造を形成し（例えば図５に示すように）、各駆動装置3の循環作動を介して階段の制御信号を生成し、ひいては各駆動装置3が月別，日付と曜日別のローラー21、22、23を回し出すことにより、月別，日付と曜日別などのルーズリーフシートを正しく表示する目的を達成する。その中でも、本考案の作動は、一つのバッテリーパック5より電力のソースを提供する。
【手続補正６】
【補正対象書類名】明細書
【補正対象項目名】００２３
【補正方法】変更
【補正の内容】
【００２３】
1    外部殻体  
2    回転ローラー組
3    駆動装置
4    時計制御部
5    バッテリーパック
11   月別窓部
12   日付窓部
13   曜日別窓部
14   時計窓部
21   月別ローラー
22   日付ローラー
23   曜日別ローラー
31   モーター
32   歯車セット
33   振りレバー
34   タッチスイッチ（Touch Switch）
35   マイクロスイッチ
41   時計
42   回転タッチシート
43   制御基板
211  月別ルーズリーフシート
212  フレキシブル回路基板
213  インフィニ・バンド（Infini・Band）・ケーブル
214  インナーラチェット
215  バンプ 
221  日付ルーズリーフシート
222  フレキシブル回路基板  
223  インフィニ・バンド（Infini・Band）・ケーブル
224  インナーラチェット
225  バンプ
231  曜日別ルーズリーフシート
232  フレキシブル回路基板
233  インフィニ・バンド（Infini・Band）・ケーブル
234  インナーラチェット
235  バンプ